(57)【要約】      （修正有）【課題】  指定された時刻に、予め記憶した予定の内容を想起し得るアラーム音を発生させるための手間を省くことができるとともに、当該アラーム音を他者に聴かれることなく、使用者に対してのみ報知することができるスケジュール管理機能を備えた携帯電話機を提供すること。【解決手段】  携帯電話のカラー液晶画面に表示された予定入力画面から、登録する予定の内容を示す識別情報が入力され（Ｓ１）、登録キーが押されると（Ｓ２）、入力された予定の内容を示す識別情報が記憶される（Ｓ３）。この識別情報の中に、予め記憶している各音声データに対応付けられた識別情報のいずれかが含まれていた場合は（Ｓ５，ＹＥＳ）、その識別情報が対応付けられた音声データをアラーム音としてセットする（Ｓ６）。【選択図】  図４
2007109119.tif 000002
【特許請求の範囲】
【請求項１】
予定された事柄に関連した内容を記憶し、表示するスケジュール管理装置であって、
各々に識別情報が対応付けられた複数種類の音声データを記憶する記憶手段と、
前記予定された事柄の存在を知らせる時刻を設定する時間設定手段と、
前記時間設定手段によって設定された時刻となったときに、前記予定された事柄に関連した内容を示す識別情報と一致する識別情報が対応付けられた音声データを、前記記憶手段から読み出して再生する再生手段と
を具備することを特徴するスケジュール管理装置。
【請求項２】
着信した音声を発する受話装置と、発信する音声を入力する送話装置とを備えて電話通信を行うとともに、予定された事柄に関連した内容を記憶し、表示するスケジュール管理機能を備えた携帯電話機であって、
各々に識別情報が対応付けられた複数種類の音声データを記憶する記憶手段と、
前記予定された事柄の存在を知らせる時刻を設定する時間設定手段と、
前記時間設定手段によって設定された時刻となったときに、電話通信の着信を知らせる呼出音を発生する呼出音発生手段と、
前記呼出音に応じて受話操作がなされたときに、前記予定された事柄に関連した内容を示す識別情報と一致する識別情報が対応付けられた音声データに基づく音声を前記受話装置から発生する音声発生手段と
を具備することを特徴とする携帯電話機。
【発明の詳細な説明】
【技術分野】
【０００１】
本発明は、予定された事柄に関連した内容を記憶し、表示するスケジュール管理装置およびスケジュール管理機能を備えた携帯電話機に関する。
【背景技術】
【０００２】
従来より、パーソナルコンピュータ（以下、ＰＣという）や携帯型情報端末装置などを利用して、個人のスケジュールを記憶し、表示するスケジュール管理装置やスケジュール管理システムが数多く提案されている。また、近年では、ネットワークを介して各種イベントのスケジュール情報などを配信し、ＰＣや携帯型情報端末装置のスケジュール管理機能を実行した際に表示される予定表へ反映させるものも提案されている。
【０００３】
たとえば、特許文献１に開示された情報端末装置は、サーバから各種スポーツまたはコンサートの開催日や、映画／音楽ソフトの発売日などの予定データのうち、所望する予定データを選択してダウンロードし、スケジュール管理機能によって表示された予定表内に反映させるとともに、当該予定表に入力した各予定の開始日時またはその所定時間前に、ブザー、メロディー、または音声等を発生させるアラーム機能を搭載したものが開示されている。また、上述したアラーム機能について、特許文献２〜４には、ユーザが任意に録音した音声をアラーム音として用いることができるものが開示されており、さらに特許文献５には、予め録音された複数の音声のうち、所望する音声をアラーム音に設定することができるものが開示されている。
【０００４】
【特許文献１】特開２００２−３５１８４９
【特許文献２】実開平５−６４７９７
【特許文献３】実開平５−９２７８６
【特許文献４】特開平８−３１３６５６
【特許文献５】特開平１０−３００８７２
【発明の開示】
【発明が解決しようとする課題】
【０００５】
ところで、上述した情報端末装置のスケジュール管理機能と、アラーム機能とを組み合わせた場合、予め用意された複数のアラーム音の中から所望するアラーム音を、予定表に入力した各予定に対応付けることができるものが考えられる。しかしながら、たとえば、聴いただけで予定の内容が想起されるようなアラーム音（たとえば、予定の内容を話している音声など）を、入力した予定に対応付けたい場合などは、予め記憶されている複数のアラーム音を一つずつ再生して、適切なアラーム音を選択しなければならないため、対応付けが煩雑になるという問題がある。
【０００６】
そこで本発明は、指定された時刻に、予め記憶した予定の内容を想起し得るアラーム音を発生させるための手間を省くことができるスケジュール管理装置を提供することを目的としている。
【０００７】
また、本発明は、指定された時刻に、予め記憶した予定の内容を想起し得るアラーム音を発生させるための手間を省くことができるとともに、当該アラーム音を他者に聴かれることなく、使用者に対してのみ報知することができるスケジュール管理機能を備えた携帯電話機を提供することを目的としている。
【課題を解決するための手段】
【０００８】
上記の目的を達成するために、本発明は、予定された事柄に関連した内容を記憶し、表示するスケジュール管理装置であって、各々に識別情報が対応付けられた複数種類の音声データを記憶する記憶手段と、前記予定された事柄の存在を知らせる時刻を設定する時間設定手段と、前記時間設定手段によって設定された時刻となったときに、前記予定された事柄に関連した内容を示す識別情報と一致する識別情報が対応付けられた音声データを、前記記憶手段から読み出して再生する再生手段とを具備することを特徴としている。
【０００９】
ここで、予定された事柄に関連した内容とは、予定された事柄自体の内容、予定された事柄が行われる場所・時間（年月日、曜日を含む）、予定された事柄に関係している人（たとえば面会相手など）の名前などをいう。また、識別情報とは、文字、数字、記号、図形などの情報をいう。
【００１０】
上述したスケジュール管理装置によれば、時間設定手段によって設定された時刻になると、記憶している予定された事柄に関連した内容を示す識別情報と、一致する識別情報が対応付けられている音声データを再生する。すなわち、たとえばある人物の音声データと、当該人物の名前を表す文字情報とを対応付けて予め記憶手段に記憶させておけば、記憶されている予定の中にその人物の名前を表す文字情報が含まれていた場合、その予定の存在がその人物の声によって知らされる。このため、予定を入力する際に、逐一その予定の内容を想起させる音声データを選択して当該予定に対応付ける必要がなくなり、手間をかけることなく、設定した時刻に、その予定の内容を想起し得るアラーム音を発生させることができる。
【００１１】
また、本発明は、着信した音声を発する受話装置と、発信する音声を入力する送話装置とを備えて音声による電話通信を行うとともに、予定された事柄に関連した内容を記憶し、表示するスケジュール管理機能を備えた携帯電話機であって、各々に識別情報が対応付けられた複数種類の音声データを記憶する記憶手段と、前記予定された事柄の存在を知らせる時刻を設定する時間設定手段と、前記時間設定手段によって設定された時刻となったときに、呼出音を発生する呼出信音発生手段と、前記呼出音に応じて受話操作がなされたときに、前記予定された事柄に関連した内容を示す識別情報と一致する識別情報が対応付けられた音声データに基づく音声を前記受話装置から発生する音声発生手段とを具備することを特徴としている。
【００１２】
ここで、受話装置とは、使用者が耳を当てて受信した音声を聴き取るためのものであり、外部に向けて音声を伝達することを目的としたスピーカなどとは区別されるものである。また、受話操作とは、呼出音に応じて電話をかけてきた相手と通話するために行う操作をいう。
【００１３】
上記の携帯電話機によれば、時間設定手段によって設定された時刻になると、呼出音が発生し、これに応じて受話操作を行うと、記憶している予定された事柄に関連した内容を示す識別情報と、一致する識別情報が対応付けられている音声データが、受話装置から再生される。すなわち、たとえばある人物の音声データと、当該人物の名前を表す文字情報とを対応付けて予め記憶手段に記憶させておき、また、記憶されている予定の中にその人物の名前を表す文字情報が含まれていた場合、時間設定手段によって設定された時刻になると、まず、呼出音が鳴り、受話操作を行うと、受話装置から上記予定の存在を、その人物の声によって知らされる。このため、予定を入力する際に、逐一その予定の内容を想起させる音声データを選択して当該予定に対応付ける必要がなくなり、手間をかけることなく、設定した時刻に、その予定の内容を想起し得るアラーム音を発生させることができる。また、たとえば他者と面会中に上記時間設定手段によって設定された時刻になった場合、面会相手にはあたかも通常の電話に出るように見せながら、上述した予定の内容を想起し得るアラーム音を聴くことができる。また、当該音声は、受話装置から発生するので、たとえば個人的な内容を示す音声が発生したとしても、他者に知られることなく聴き取ることができる。
【発明の効果】
【００１４】
本発明のスケジュール管理装置およびスケジュール管理機能を備えた携帯電話によれば、設定した時刻に、登録した予定の内容を想起し得るアラーム音を発生させるための手間を省くことができる。
【発明を実施するための最良の形態】
【００１５】
以下、本発明の好適な実施の形態について、図面を参照しつつ説明する。
【００１６】
図１は、本実施の形態に係る携帯電話１の外観を示す正面図である。携帯電話１は本体部２と蓋部３とからなる折りたたみ式の構造になっており、図１は蓋部３を開いた状態を示している。蓋部３の図中上部には、図示せぬ基地局とやりとりされる無線信号を送受信するためのアンテナ４が設けられている。基地局から受信した音声信号は、受話装置５で聴くことができる。受話装置５はスピーカであるが、受話装置５から発生する音は、直接耳を当てなければ聴くことができない程度の音量で発生される。受話装置５の下側には、カラー液晶ディスプレイ（以下、ＬＣＤという）６が設けられており、携帯電話１から電話をかけるときに入力される電話番号、携帯電話１へ電話をかけてきた相手の電話番号、および、携帯電話１が有するアクセサリ機能を実行したときに表示される画面など、様々な情報が表示される。ここで、携帯電話１が有するアクセサリ機能としては、スケジュール管理機能、アドレス帳機能、電子メール機能、インターネットアクセス機能、電卓機能、メモ帳機能がある。
【００１７】
本体部２には、電話番号および文字などを入力されるためのテンキー７が設けられている。テンキー７は、いわゆるプッシュホン式の電話機に備えられているキーと同様のキーで構成されており、「０」〜「９」の数字に対応する１０個のキー（以下、数字キーという）と、「＊」および「＃」の記号に対応する２つのキーの、計１２個のキーで構成されている。また、数字キーのそれぞれには、平仮名およびアルファベットが適宜対応付けられており、携帯電話１が有するアクセサリ機能を実行中に文字などを入力する際にも用いられる。テンキー７の上方には、発信キー８と終了キー９が設けられている。発信キー８は、携帯電話１にかかってきた電話を受けるとき、および、テンキー７により電話番号を入力して携帯電話１から電話をかけるときに使用する。終了キー９は、携帯電話１による通話を終了させるとき、および、携帯電話１が有する各種機能を終了させるときなどに使用する。また、終了キー９は、携帯電話１の電源スイッチも兼ねている。
【００１８】
発信キー８と終了キー９との間には、上下左右の４方向を指示可能な円板形状の多方向キー１０が設けられており、携帯電話１が有する各種機能において、ＬＣＤ６に表示された複数の選択肢を選択する際に使用する。ここで、多方向キー１０の表面には「↑」、「↓」、「→」、「←」のマークが付されており、「↑」マークの位置を押すと上方を指示することとなり、同様に、「↓」、「→」、「←」のマーク位置を押すと、それぞれ、下方、右方、左方を指示することになる。多方向キー１０の中心位置には、多方向キー１０とは独立して作動する決定キー１１が設けられており、たとえば、ＬＣＤ６に表示された複数の選択肢のうち、多方向キー１０によって選択した内容を確定するときに使用される。発信キー８の上方には第１コマンドキー１２が、終了キー９の上方には第２コマンドキー１３が、それぞれ設けられている。これらコマンドキー１２，１３は、携帯電話１が有するアクセサリ機能を実行したときに、当該実行された機能において用いられるコマンドが適宜割り当てられる。以下では、テンキー７、発信キー８、終了キー９、多方向キー１０、決定キー１１、第１コマンドキー１２、および、第２コマンドキー１３をまとめて操作部と呼ぶこととする。テンキー７の下方には、携帯電話１において電話通信を行っているとき相手側へ送信する音声を入力するマイク１４が設けられている。また、図１においては図示を省略しているが、本体部３の裏面には、呼出音などの音声を外部に向けて発生するスピーカ（後述する）が設けられている。
【００１９】
次に図２を参照して携帯電話１の内部ハードウェア構成について説明する。この図において、図１に示した各部と同じものについては、同一の符号を付し、その説明を省略する。図２において、制御部２０は、操作部７〜１３およびマイク１４を用いて行われる電話通信の制御を行うとともに、携帯電話１が有する各種アクセサリ機能を実現するためのプログラムを実行する。また、これらの処理に伴う情報（たとえば、送信または受信した相手の電話番号、通話時間、各種アクセサリ機能の入出力画面など）を適宜ＬＣＤ６へ表示する。送受信部２１は、アンテナ４が前述した基地局から受信した無線信号を復調して制御部２０へ出力するとともに、制御部２０から出力された各種信号を変調し、無線信号としてアンテナ４から前述した基地局へ送信する。ＥＥＰＲＯＭ（Electronically Erasable and Programmable Read Only Memory）２２は、携帯電話１が有するスケジュール管理機能において登録された予定に関する情報や、アドレス帳機能において登録された個人情報などを記憶する。また、この他にも、マイク１４により録音された音声データ、インターネットを介して取得した画像データおよび音声データ、および、電子メールでやり取りされた情報なども記憶する。カレンダーＩＣ２３は、内部に水晶発振子を有し、現在の年月日および時刻を計時する。音声制御部２４は、制御部２０から出力された音声データをアナログ音声信号に変換し、制御部２０によって指定された出力デバイスへ出力する。この出力デバイスには、受話装置５と、本体部２の裏面に設けられた前述のスピーカ２５とがある。また、音声制御部２４は、マイク１４から入力された音声をデジタルデータ化し、制御部２０へ出力する。
【００２０】
次に、図３を参照して、携帯電話１が有するスケジュール管理機能（以下、単にスケジュール管理機能という）において、登録した予定の存在を知らせるアラーム音の種類を決定する際に参照される対応リストの内容について説明する。対応リストは、ＥＥＰＲＯＭ２２に記憶されるものであり、図３に示すように、ＥＥＰＲＯＭ２２に記憶されている各音声データのファイル名と、携帯電話１の使用者がテンキー７から入力した識別情報との対応を表したものである。ここで、各データに対応付ける識別情報は、スケジュール管理機能において入力可能な情報であれば、文字、数字、記号、アイコンの他、いわゆる絵文字であってもよい。たとえば、図３に示すリストの「Ｎｏ．」欄の「１」においては、ファイル名「cheer.wav」という音声データに、ジョッキを示した絵文字が対応付けられている状態を示している。
【００２１】
各音声データに対する識別情報の対応付けは、たとえば次のようにして行われる。まず、携帯電話１の蓋部３を開いたときに、「対応付け」というコマンド名を含むコマンド一覧がＬＣＤ６に表示されるようにしておき、多方向キー１０および決定キー１１により、「対応付け」というコマンド名が選択されたときに、ＥＥＰＲＯＭ２２に記憶されている音声データのファイル名の一覧をＬＣＤ６に表示する。そして、使用者が、多方向キー１０によって所望するファイル名を選択し、決定キー１１によって確定すると、対応付ける識別情報を入力するための入力画面をＬＣＤ６に表示し、テンキー７を用いて適宜識別情報が入力され、決定キー１１が押されると、図３に示す対応リストの最後尾に、選択されたファイル名と入力された識別情報を追加する。
【００２２】
また、たとえば、インターネットを介して音声データのダウンロードが完了したとき、または、マイク１４により音声を入力し終えたときに、上述した識別情報入力画面をＬＣＤ６に表示するようにして、音声データと識別情報との対応付けを行うようにしてもよい。このように、ＥＥＰＲＯＭ２２は、上述した対応リストによって、各々に識別情報が対応付けられた複数種類の音声データを記憶する記憶手段に相当する。
【００２３】
次に、図４および図５を参照して、上記スケジュール管理機能において予定を登録する際に制御部２０が行う予定登録処理の内容について説明する。ここで、図４は上述した予定登録処理の流れを示すフローチャートであり、図５は、当該予定登録処理においてＬＣＤ６に表示される予定入力画面の内容を示す図である。
【００２４】
携帯電話１の使用者によって、スケジュール管理機能の実行が指示されると、制御部２０はデータ入力処理を行う（ステップＳ１）。ここで、使用者によるスケジュール管理機能の実行指示は、たとえば、前述したＬＣＤ６に表示されるコマンド一覧の中に「スケジュール」というコマンド名を含めておき、多方向キー１０および決定キー１１により当該コマンド名を選択、決定することによって行われるものとする。
【００２５】
ステップＳ１のデータ入力処理が開始されると、制御部２０はまず、図５（ａ）に示すスケジュール概略表示画面をＬＣＤ６に表示する。ここで、スケジュール管理機能を実行中のＬＣＤ６の画面は、タイトル表示領域Ｔ、メイン表示領域Ｍ、および、割当機能表示領域Ｋとによって構成されている。タイトル表示領域Ｔは、現在実行中のアクセサリ機能の内容を示すタイトル名を表示する領域であり、図５（ａ）では、スケジュール管理機能を実行中であることから、「スケジュール」という文字が表示されている。メイン表示領域Ｍは、現在実行中のアクセサリ機能よって使用される表示領域であり、図５（ａ）では、メイン表示領域Ｍがｍ１とｍ２に分割され、表示領域ｍ１には当日の年月日および曜日と、当月のカレンダーとが表示される。当該カレンダーの当日の日付（図５（ａ）においては１０日になっている）にカーソルＣが表示されている。また、表示領域ｍ２には、カーソルＣが表示されている日付に何らかの予定が登録されていた場合、その概略内容（後述する）が表示される領域であり、図５（ａ）に示す例では、１０日の予定が入力されていないため空欄になっている。
【００２６】
割当コマンド表示領域Ｋには、メイン表示領域Ｍに表示されている画面において、多方向キー１０の有効移動方向、および、決定キー１１、第１コマンドキー１２、および、第２コマンドキー１３に、それぞれ割り当てられたコマンドが表示される。すなわち、割当コマンド表示領域Ｋの表示領域ｋ１、ｋ３、ｋ４には、それぞれ、第１コマンドキー１２、決定キー１１、第２コマンドキー１３に割り当てられたコマンドの内容が表示され、表示領域ｋ２には、多方向キー１０の有効移動方向が表示される。図５（ａ）においては、第１コマンドキー１２には「戻る」というコマンドが割り当てられていることを示しており、第１コマンドキー１２が押された場合、前述したコマンド一覧画面に戻る。また、多方向キー１０については、カーソルＣを上下左右方向に移動し得ることを示している。ここで、図５（ａ）に示す画面では、カーソルＣの移動可能範囲は、表示領域ｍ１に表示されたカレンダーの各日付（「１」〜「３１」）となっている。また、決定キー１１には、「選択」というコマンドが割り当てられていることを示しており、図５（ａ）に示す画面において決定キー１１が押されると、カーソルＣが表示されている日付について、登録された詳細な予定が表示される。なお、第２コマンドキー１３には、何らコマンドが割り当てられていないため、表示領域ｋ４には何も表示されていない。
【００２７】
図５（ａ）に示すように、１０月１０日にカーソルＣが表示されている状態で決定キー１１が押されると、メイン表示領域Ｍには、図５（ｂ）に示すように、１０月１０日の詳細な予定入力画面が表示される。この予定入力画面は、既に１０月１０日の詳細な予定が入力されていた場合、その内容を表示する表示画面も兼ねている。また、割当コマンド表示領域Ｋの表示領域ｋ４には、第２コマンドキー１３に対して、「登録」というコマンドが割り当てられていることが示されている。この「登録」コマンドは、メイン表示領域Ｍに表示された予定入力画面において、使用者が所望する予定の内容を入力した内容を確定させる（すなわちＥＥＰＲＯＭ２２に記憶させる）コマンドである。
【００２８】
この予定入力画面のメイン表示領域Ｍには、入力する予定の日付を入力する領域ｄ、当該予定の開始時刻を入力する領域ｓｔおよび終了時刻を入力する領域ｅｔ、用件を入力する領域ｂ、用件の内容を示すアイコン（後述する）が表示される領域ＩＣ、予定の内容を入力する領域ｃ、場所を入力する領域ｐ、アラームを設定する領域ａが含まれている。そして、多方向キー１０により所望する領域にカーソルＣを移動させた後、決定キー１１を押すことにより、その領域に関する内容が可能となる。各領域に対する登録内容の入力は、テンキー７を用いて行われる。ここで、用件を入力する領域ｂへ用件を表す文字情報を入力した後、決定キー１１が押されると、ＬＣＤ６に表示される画面が、図６（ａ）に示す内容に切り替わる。この画面は、用件の内容を視覚的に表現するためのアイコンを選択するアイコン選択画面であり、たとえば、ビールが注がれたジョッキ、ナイフとフォーク、電車などの絵を描いたアイコンや、「会」、「休」、「習」といった文字を示すアイコンなど、用件の内容を想起させやすいアイコンが２５個、一覧表示されている。使用者は、これらのアイコンの中から、用件を入力する領域ｂに入力した用件の内容に即したアイコンを、多方向キー１０を用いてカーソルＣを所望するアイコンの表示位置まで移動させ、決定キー１１を押して選択することができる。
【００２９】
図５（ｂ）に示す例では、予定の日付として「２００５年１０月１０日」という文字情報が、当該予定の開始時刻および終了時刻として「１５：００」および「１６：００」という数字および記号情報が、当該予定の用件として「打合せ」という文字情報が、予定の内容として「○木課長と××の件について」という文字情報が、予定の場所として「△△会議室」という文字情報が、それぞれ入力された状態を示している。また、用件の内容を示すアイコンとして、白抜きの文字で「会」と表示されたアイコンが選択された状態を示している。これら各項目のうち、開始時刻、終了時刻、および、場所に関する情報、ならびに、用件を示すアイコンが、予定の概略内容として、図５（ａ）の表示領域ｍ２へ表示される。
【００３０】
また、アラームに関する設定を行うアラーム設定領域ａについては、その設定内容として、「ＯＦＦ」、「通常」、「秘匿」の３つの選択肢（モード）が表示されており、カーソルＣを所望するモードの文字上へ移動させることにより選択、設定する。ここで、「ＯＦＦ」モードとは、登録された予定の存在を知らせるためのアラームを鳴らさないモードである。また、「通常」モードおよび「秘匿」モードは、いずれも後述するアラーム時刻になったときに、アラーム音を発生させるモードである。以下、これら３つのモードをあわせてアラームモードという。また、使用者が多方向キー１０によりカーソルＣを「通常」または「秘匿」モードの位置に移動させると、図６（ｂ）に示すアラーム時刻設定画面ａｔが、メイン表示領域Ｍに表示される。そして、アラーム時刻設定画面ａｔ内の時間入力領域ｔに、図５（ｂ）に示す開始時刻入力領域ｓｔに入力した予定開始時刻の何分前にアラームを鳴らすのかをテンキー７により数字を入力する。ここで、図６（ｂ）では、予定開始時刻１５：００の３０分前に設定しているので、アラーム時刻は１４：３０となる。このように、アラーム時刻設定画面ａｔは、予定された事柄の存在を知らせる時刻を設定する時間設定手段に相当する。
【００３１】
なお、たとえば「１４：３０」というように、直接アラーム時刻を入力できるようにしてもよい。また、アラーム時刻設定画面ａｔを表示した際に、時間入力領域ｔ内に初期値として予め設定された時刻（たとえば、予定開始時刻の１０分前など）を表示させるようにしてもよい。
【００３２】
上述したステップＳ１のデータ入力処理中は、「登録」コマンドが割り当てられた第２コマンドキー１３（図４においては、「登録キー」と表記）が押されたか否かを監視しており（ステップＳ２）、第２コマンドキー１３が押されるまで、ステップＳ１のデータ入力処理が行われる。そして、第２コマンドキー１３が押されると、ステップＳ２の判断結果がＹＥＳとなって、制御部２０は、図５（ｂ）および図６（ｂ）に示す各予定入力画面から入力された予定の内容をＥＥＰＲＯＭ２２の所定の記憶領域に記憶する（ステップＳ３）。すなわち、図５（ｂ）および図６（ｂ）に示した入力例の場合、予定の日付として「２００５年１０月１０日」という文字情報が、予定の開始時刻として「１５：００」という数字・記号情報が、予定の終了時刻として「１６：００」という数字・記号情報が、用件として「打合せ」という文字情報が、用件の内容を示唆するアイコンとして、白抜きの「会」という文字を表したアイコンを示す情報が、予定の詳細内容として「○木課長と××の件について」という文字情報が、場所として「△△会議室」という文字情報が、アラームモードとして「通常」モードを示す情報が、アラーム時刻として「１４：３０」という数字・記号情報が、それぞれ記憶される。ここで、図５（ｂ）に示すアラーム設定領域ａにおいて、「ＯＦＦ」モードが設定された場合、アラームモードとして「ＯＦＦ」を示す情報が記憶されるが、アラーム時刻については何も記憶されない。また、「秘匿」モードが設定された場合は、「通常」モードが設定されたときと同様、アラーム時刻を示す数字・記号情報がＥＥＰＲＯＭ２２に記憶される。
【００３３】
次に、ステップＳ３の処理によりＥＥＰＲＯＭ２２に記憶された予定のうち、設定されたアラームモードが、「ＯＦＦ」モードであるか、「通常」または「秘匿」モードであるかを判断する（ステップＳ４）。もし、「ＯＦＦ」モードが設定されていた場合は、判断結果がＮＯとなって、予定登録処理を終了する。一方、「通常」または「秘匿」モードが設定されていた場合は、判断結果がＹＥＳとなって、記憶した予定の用件、詳細内容、および、場所を示す識別情報の中に、図３に示した対応リストの「識別情報」の欄に記憶されている識別情報と一致するものがあるか否かを判断する（ステップＳ５）。
【００３４】
もし、上述した各項目の内容を示す識別情報の中に、図３に示した対応リストの「識別情報」の欄に記憶されている識別情報と一致する識別情報が含まれていた場合は、判断結果がＹＥＳとなって、図３に示した対応リストを参照し、一致した識別情報に対応するファイル名をアラーム音として、ステップＳ３で記憶した予定の内容とともにＥＥＰＲＯＭ２２に記憶し（ステップＳ６）、予定登録処理を終了する。たとえば、図５（ｂ）および図６（ｂ）に示した内容の予定が登録された場合、「内容」の項目に「○木」という識別情報（文字情報）が含まれている。したがって、図３の対応リストにおいて、「○木」という識別情報（文字情報）が対応付けられている「○木の声.wav」というファイル名の音声データが、アラーム音として使用される音声データとして記憶されることになる。
【００３５】
一方、一致する識別情報がなかった場合は、判断結果がＮＯとなって、予め定められているアラーム音に対応する音声データのファイル名を、ステップＳ３で記憶した予定の内容とともにＥＥＰＲＯＭ２２に記憶し（ステップＳ７）、予定登録処理を終了する。
【００３６】
ここで、図７を参照して、図４に示す予定登録処理によって登録された予定の記憶内容について説明する。図７に示すように、登録された予定の記憶内容は、予定の日付、開示時刻および終了時刻、用件、アイコン、詳細内容、場所、アラームモード、アラーム時刻、および、アラーム音として用いる音声データのファイル名である。ここで、アラームモードとして「ＯＦＦ」モードを示す情報が記憶された場合、アラーム時刻およびアラーム音に関する項目については何も記憶されない。一方、「通常」または「秘匿」モードを示す情報が記憶された場合は、アラーム時刻およびアラーム音に関する項目について、アラーム時刻およびアラーム音として用いる音声データのファイル名が記憶されることになる。
【００３７】
次に、上述した予定登録処理によって登録された予定のうち、アラーム時刻が設定されている予定について、アラーム音を発生させるためのアラーム処理について、図８のフローチャートを参照して説明する。
【００３８】
まず、制御部２０は、カレンダーＩＣ２３から現在の日付および時刻に関する情報を取得する（ステップＳ１０）。そして、図７に示すＥＥＰＲＯＭ２２に記憶された各予定の日付およびアラーム時刻を参照し、記憶されている日付およびアラーム時刻と一致する日付および時刻になったか否かを判断する（ステップＳ１１）。一致しなかった場合は、判断結果がＮＯとなり、ステップＳ１へ戻って再度現在の日付および時刻をカレンダーＩＣ２３から取得する。これに対して、記憶しているいずれかの予定の日付およびアラーム時刻と、現在の日付および時刻とが一致した場合は、判断結果がＹＥＳとなって、その予定のアラームモードが、「秘匿」モードであるか、「通常」モードであるかを判断する（ステップＳ１２）。ここで、もし、アラームモードが「通常」モードであった場合は、判断結果がＮＯとなって、当該予定のアラーム音として記憶されているファイル名の音声データをＥＥＰＲＯＭ２２から読み出し、スピーカ２５から当該音声データに基づく音声を発生することを指示するコマンドとともに、音声制御部２４へ出力する（ステップＳ１３）。これにより、音声制御部２４は、制御部２０から出力された音声データに基づく音声を、スピーカ２５から発生する。たとえば、図７に示す予定の記憶内容について、現在の時刻が１０月１０日の１４：３０となると、制御部２０は、ＥＥＰＲＯＭ２２から「○木の声.wav」というファイル名の音声データを読み出し、音声制御部２４へ出力する。また、音声制御部２４は、入力された「○木の声.wav」というファイル名の音声データに基づく音声を、スピーカ２５から発生する。
【００３９】
一方、ステップＳ１２において、アラームモードが「秘匿」モードであった場合は、判断結果がＹＥＳとなって、制御部２０は、予め設定されていた呼出音に対応する音声データをＥＥＰＲＯＭ２２から読み出し、スピーカ２５から呼出音に対応する音声データに基づく音声を発生することを指示するコマンドとともに、音声制御部２４へ出力する（ステップＳ１４）。これにより、音声制御部２４は、制御部２０から出力された呼出音に対応する音声データに基づく音声を、スピーカ２５から繰り返し発生させる。また、音声制御部２４は、呼出音に対応する音声データに基づく音声を発生した回数を、制御部２０へ出力する。
【００４０】
ステップＳ１４の処理を終えると、制御部２０は、携帯電話１の使用者が発信キー８を押したか否か、すなわち、受話操作を行ったか否かを判断する（ステップＳ１５）。そして、受話操作がなされた場合は、判断結果がＹＥＳとなり、当該予定のアラーム音として記憶されているファイル名の音声データをＥＥＰＲＯＭ２２から読み出し、受話装置５から当該音声データに基づく音声を発生することを指示するコマンドとともに、音声制御部２４へ出力する（ステップＳ１６）。これにより、音声制御部２４は、制御部２０から出力された音声データに基づく音声を、受話装置５から発生する。
【００４１】
一方、ステップＳ１５において、使用者が受話操作を行わなかった場合は、判断結果がＮＯとなって、呼出音の発生回数が所定回数（たとえば、１０回）に達したか否かを判断する（ステップＳ１７）。ここで、呼出音の発生回数が、所定回数に到達していなかった場合は、判断結果がＮＯとなり、ステップＳ１５に戻って再度使用者による受話操作が行われたか否かを判断する。以下、呼出音の発生回数が所定回数に達するまで、ステップＳ１５およびステップＳ１７の処理を繰り返し行い、この間に使用者による受話操作が行われた場合は、ステップＳ１６の処理へ移行し、当該予定に対応付けられた音声データに基づく音声を受話装置５から発生させる。
【００４２】
一方、呼出音の発生回数が所定回数に達しても、使用者による受話操作が行われなかった場合は、ステップＳ１７の判断結果がＹＥＳとなって、制御部２０は、音声制御部２４に対して、呼出音の発生処理の停止を指示し（ステップＳ１８）、アラーム処理を終了する。
【００４３】
以上説明したように、本実施の形態における携帯電話１におけるスケジュール管理機能によれば、図４に示す予定登録処理において、予定が登録されると、登録された予定の内容の中に、予め記憶している音声データに対応付けられた識別情報が含まれている場合（図４，ステップＳ５，ＹＥＳ）は、当該識別情報に対応付けられた音声データを、アラーム音として使用することを決定し（図４，ステップＳ６）、当該予定のアラーム時刻になると（図８，ステップＳ１１，ＹＥＳ）、アラームモードとして「通常」モードが設定されていた場合（図８，ステップＳ１２，ＮＯ）は、スピーカ２５から、上記登録された予定の内容の中に含まれている識別情報に対応付けられた音声データに基づく音声が、スピーカ２５から発生する（図８，ステップＳ１３）。したがって、制御部２０による図８のステップＳ１１⇒Ｓ１２⇒Ｓ１３の処理、および、ステップＳ１３の処理によって、アラーム音をスピーカ２５から発生させる音声制御部２４は、設定された時刻となったときに、前記予定された事柄に関連した内容を示す識別情報と一致する識別情報が対応付けられた音声データを、前記記憶手段から読み出して再生する再生手段に相当する。
【００４４】
このように、予定を登録したときに、登録した予定を示す識別情報内に、予め記憶されている音声データに対応付けられた識別情報が含まれていた場合、当該識別情報に対応付けられた音声データがアラーム音として使用することが決定されるため、使用者自ら登録する予定の内容と、その内容を想起させるような音声データの対応付けを行う手間を省くことができる。
【００４５】
また、アラームモードとして「秘匿」モードが設定されていた場合は、設定したアラーム時刻になると（図８，ステップＳ１１，ＹＥＳ、および、ステップＳ１２，ＹＥＳ）、まず、スピーカ２５から呼出音が発生し（図８，ステップＳ１４）、使用者による受話操作が行われると（図８，ステップＳ１５，ＹＥＳ）、受話装置５から、上記登録された予定の内容の中に含まれている識別情報に対応付けられた音声データに基づく音声が発生する（図８，ステップＳ１６）。したがって、制御部２０による図８のステップＳ１１⇒Ｓ１２⇒Ｓ１４の処理、および、ステップＳ１４の処理によって、呼出音をスピーカ２５から発生させる音声制御部２４は、設定された時刻となったときに、電話通信の着信を知らせる呼出音を発生する呼出音発生手段に相当する。また、制御部２０によるステップＳ１５⇒Ｓ１６の処理、および、ステップＳ１６の処理によって、アラーム音を受話装置５から発生させる音声制御部２４は、呼出音に応じて受話操作がなされたときに、予定された事柄に関連した内容を示す識別情報と一致する識別情報が対応付けられた音声データに基づく音声を前記受話装置から発生する音声発生手段に相当する。
【００４６】
上述した「秘匿」モードにおいては、「通常」モード時と同様の効果を奏するのみならず、他者に対しては、通常の電話通信に応答するように見せつつ、使用者に対してのみ、登録した予定の内容を想起させ得る音声を聞かせることができる。
【００４７】
なお、本実施の形態においては、携帯電話に搭載されたスケジュール管理機能を例に挙げたが、アラームモードとして「通常」モードを設定したときに行われる処理については、携帯電話に限らず、たとえばＰＤＡ（Personal Digital Assistant）におけるスケジュール管理機能に対しても適用が可能である。また、スケジュール管理機能に特化したスケジュール管理装置に対しても適用が可能であることはいうまでもない。
【図面の簡単な説明】
【００４８】
【図１】本発明の実施の形態における携帯電話の外観を示す正面図である。
【図２】同携帯電話の内部のハードウェア構成を示すブロック図である。
【図３】同携帯電話のスケジュール管理機能においてアラーム音として用いられる音声データと識別情報との対応付けを説明するための説明図である。
【図４】同スケジュール管理機能において、予定の内容を登録する際に実行される予定登録処理の流れを示すフローチャートである。
【図５】同スケジュール管理機能を実行したときに表示される画面の内容を説明するための説明図である。
【図６】同スケジュール管理機能を実行したときに表示される画面の内容を説明するための説明図である。
【図７】同スケジュール管理機能において、登録された予定の記憶内容を説明するための説明図である。
【図８】同スケジュール管理機能において、アラームを発生する際に実行されるアラーム処理の流れを示すフローチャートである。
【符号の説明】
【００４９】
１  携帯電話
５  受話装置
２０  制御部
２２  ＥＥＰＲＯＭ
２４  音声制御部
２５  スピーカ
【図１】
2007109119.tif 000003
【図２】
2007109119.tif 000004
【図３】
2007109119.tif 000005
【図４】
2007109119.tif 000006
【図５】
2007109119.tif 000007
【図６】
2007109119.tif 000008
【図７】
2007109119.tif 000009
【図８】
2007109119.tif 000010